(57)【要約】  可動フィーダシステムにおいて、重心（２４）を有するフィーダ（１０）と、中間フィーダベース（３０）とが設けられており、該中間フィーダベース（３０）が、中間フィーダベース（３０）の外側に前記重心（２４）がある片側支持された位置と、中間フィーダベースの上に前記重心がある片側支持ではない位置、つまり平衡位置との間において水平方向運動するようにフィーダ（１０）を支持している可動フィーダベースシステムが提供される。さらに丁合い装置も提供される。
2010501442.tif 000002
【特許請求の範囲】
【請求項１】
可動フィーダシステムにおいて、重心を有するフィーダと、中間フィーダベースとが設けられており、該中間フィーダベースが、中間フィーダベースの外側に前記重心がある片側支持された位置と、中間フィーダベースの上に前記重心がある平衡位置との間において水平方向運動するようにフィーダを支持していることを特徴とする、可動フィーダベースシステム。
【請求項２】
中間フィーダベースが、ローラを受容するためのスロットを有している、請求項１記載の可動フィーダシステム。
【請求項３】
フィーダが、ローラを有するサイドフレームを有しており、ローラが、中間フィーダベースの前記スロットと係合している、請求項２記載の可動フィーダシステム。
【請求項４】
少なくとも１つのスロットが、開放した端部を有している、請求項３記載の可動フィーダシステム。
【請求項５】
中間フィーダベースを支持するための別のフィーダベースがさらに設けられていて、中間フィーダベースが、ばね負荷されたクランプによって前記別のフィーダベースに固定される、請求項１記載の可動フィーダシステム。
【請求項６】
前記別のフィーダベースが、固定されたベースである、請求項５記載の可動フィーダシステム。
【請求項７】
前記別のフィーダベースが、可動ベースである、請求項５記載の可動フィーダシステム。
【請求項８】
フィーダが特殊なフィーダである、請求項１記載の可動フィーダシステム。
【請求項９】
特殊なフィーダが、厚紙フィーダである、請求項８記載の可動フィーダシステム。
【請求項１０】
特殊なフィーダが、カバーフィーダである、請求項８記載の可動フィーダシステム。
【請求項１１】
丁合い機において、丁合いコンベアと、複数のフィーダとが設けられており、各フィーダが、丁合いコンベアにシート材料を供給するように配置されており、複数のフィーダのうちの少なくとも１つのフィーダが可動フィーダであって、該可動フィーダが、重心と、中間フィーダベースと、該中間フィーダベースを支持するためのフィーダベースとを有していて、前記中間ベースが、中間フィーダベースの外側に重心がある片側支持された位置と、中間フィーダベースの上に重心がある平衡位置との間において水平方向運動するようにフィーダを支持していることを特徴とする丁合い機。
【請求項１２】
丁合い機が、中綴じ機である、請求項１１記載の丁合い機。
【請求項１３】
丁合いコンベアが、丁合いチェーンである、請求項１１記載の丁合い機。
【請求項１４】
さらに中間ベースを支持するための別のフィーダが設けられており、中間ベースがばね負荷されたクランプによって前記別のフィーダベースに固定される、請求項１１記載の可動フィーダシステム。
【請求項１５】
前記別のフィーダベースが、固定フィーダベースである、請求項１４記載の可動フィーダシステム。
【請求項１６】
前記別のフィーダベースが、可動ベースである、請求項１４記載の可動フィーダシステム。
【発明の詳細な説明】
【技術分野】
【０００１】
本願は、引用したことにより本明細書に記載されたものとする２００６年８月２１日に出願された米国特許仮出願第６０／８３９１０８号明細書の利益を請求する。
【０００２】
背景技術
本発明は印刷装置に関し、より詳細にはフィーダ、たとえば厚紙フィーダまたはカバーフィーダに関する。
【０００３】
無線綴じ機、中綴じ機およびメールインサータ等の丁合い機は、シート材料を集めるためにホッパまたはフィーダを使用することができる。中綴じ機または無線綴じ機は、たとえばホッパまたはフィーダから供給された折り畳まれた被印刷材料を、それぞれ中綴じコンベアまたは無線綴じコンベアに集めることができ、これにより雑誌またはその他の印刷製品を形成する。本願の文中では、ホッパおよびフィーダは同義語である。
【０００４】
米国特許第４１９８０３９号明細書により、シート、特にカバーシートを、別の折り丁と組み合わせるために、供給源から中綴じタイプの丁合い機に搬送するための装置が開示されている。カバーフィーダは、まずカバーに切れ目を入れ、次いでカバーを折り曲げるように構成されている。
【０００５】
引用したことにより本明細書に記載されたものとする米国特許第６０８２７２４号明細書は、シート材料をコンベア上の受取り位置に供給する複数のホッパを有するインサータのような折り丁丁合い機を開示している。
【０００６】
米国特許出願公開第２００６／０１０３０６４号明細書により、モジュラー式折り丁フィーダが開示されている。この折り丁フィーダには、該モジュラー式折り丁フィーダを別のモジュラー式折り丁フィーダか、または折り丁丁合いフィーダアセンブリに関連した折り丁搬送アセンブリに解離可能に取り付けることができるように構成されたベースを有するフレームが設けられている。
【０００７】
発明の概要
本発明の実施態様により、可動フィーダシステムには、重心を有するフィーダが設けられている。中間フィーダベースは、該中間フィーダベースの外側にフィーダの重心がある片側支持された位置と、中間フィーダベースの上にフィーダの重心がある片側支持ではない位置、つまり平衡位置との間において水平方向運動するようにフィーダを支持しているように設けられている。
【０００８】
本発明の別の実施態様により、丁合い機が丁合いコンベアと、複数のフィーダとを有している。各フィーダは、丁合いコンベアにシート材料を供給するために位置決めされる。複数のフィーダの内の少なくとも１つのフィーダは、可動フィーダである。この可動フィーダは重心を有している。可動フィーダはさらに、この可動フィーダの重心が中間フィーダベースの外側にある片側支持された位置と、この可動フィーダの重心が中間フィーダベースの上にある平衡位置との間において水平方向運動するように可動フィーダを支持する中間フィーダベースと、中間フィーダベースを支持するためのフィーダベースとを有している。
【図面の簡単な説明】
【０００９】
以下に本発明の好適な実施例を図面につき詳しく説明する。
【図１】本発明によるシャトルベースを示す図である。
【図２】図１の本発明によるシャトルベースと、フィーダサイドフレームとを示す図である。
【図３Ａ】シャトルベースを一方の位置で示す図である。
【図３Ｂ】シャトルベースを他方の位置で示す図である。
【図４Ａ】フィーダと、シャトルベースと、可動ベースと、固定フィーダベースとを示す図である。
【図４Ｂ】フィーダと、シャトルベースと、可動ベースと、固定フィーダベースとを示す図である。
【図４Ｃ】フィーダと、シャトルベースと、可動ベースと、固定フィーダベースとを示す図である。
【図４Ｄ】フィーダと、シャトルベースと、可動ベースと、固定フィーダベースとを示す図である。
【００１０】
好適な実施例の詳細な説明
厚紙フィーダまたはカバーフィーダのような特殊なホッパは、いくつかの印刷作業のために必要とされるが、他の印刷作業のためには取り外されることがある。丁合い機の構成を替えるために厚紙フィーダまたはカバーフィーダを移動させることは、時間を消費する動作であり、全体的な生産性を著しく減じる。通常は、厚紙フィーダまたはカバーフィーダは、コンベアまたは丁合いラインから取り外すためにクレーン、フォークリフトまたは択一的なリフト装置によって持ち上げられなければならない。
【００１１】
いくつかの構成では、厚紙フィーダまたはカバーフィーダのような特殊なフィーダは、標準のホッパまたはフィーダと同じ向きでは取り付けられない。特殊なフィーダは、その胴の軸線が丁合いコンベアの進行方向に対して直角に、標準のホッパまたはフィーダの取付けとは９０度ずらして取り付けられる。特殊なフィーダの胴と折り畳み機構とは、丁合いコンベア、たとえば丁合いチェーンの上に中心があり、このユニットの重心はフィーダ取付けベース、たとえば固定フィーダベースの外側にずらされている。重心がベースからずらされていて、チェーンのより近傍にあるので、フィーダのボルトが外されると、フィーダがチェーンの上に落下してしまうだろう。重心を後退させてベース上に戻すためのシステムは、フィーダの取外しをより簡単に管理できるようにする。
【００１２】
図１は、本発明によるシャトルベース３０を示している。シャトルベース３０は、滑らか支持面３２と、長手方向のローラスロット３４，３５と、ねじスロット３６と、クランプスロット３８とを有している。長手方向のローラスロット３４，３５は、片側支持された作業位置から平衡位置へ、かつ平衡位置から片側支持された位置へとフィーダを移動させられるようにローラを受容する。ねじスロット３６は、フィーダをシャトルベース３０にロックするねじを受容する。ねじは、片側支持された位置、または平衡位置にフィーダをロックすることができる。
【００１３】
図２は、ローラ１６を示している。ローラ１６，１１６，２１６は、一方の端部ではフィーダサイドフレーム１２に固定され、他方の端部ではシャトルベース３０のローラスロット３４，３５と係合している。長手方向のローラスロット３４は、ローラ１６を収容するように設計されている。ローラ１６は、スロット３４内での運動に制限されている。長手方向のローラスロット３５は、開放した端部３５０を有している。ローラ１１６は、平衡位置と片側支持された位置との間における運動の間始終スロット３５内に留まるが、ローラ２１６は、サイドフレーム１２とフィーダ１０とが平衡位置に移動させられると、長手方向のローラスロット３５から滑り出ることができる。図３Ｂを参照されたい。図２および図４Ａないし図４Ｄに示すように、フィーダサイドフレーム１２は、フィーダ１０の固定部分である。ばね負荷されたクランプ４０を有するブラケット２２は、可動ベース６０と固定フィーダベース１４とに取り付けられている。ばね負荷されたクランプ４０は、フィーダ１０とシャトルベース３０とを、クランプスロット３８を介して、可動ベース６０および固定フィーダベース１４上でブラケット２２に固定する。
【００１４】
シャトルベース３０とフィーダ１０との重心（ＣＧ）２４を図３Ａと図３Ｂに示す。フィーダ１０は、シャトルベース３０の詳細を判りやすくするために図示してない。フィーダ１０は図４Ａないし図４Ｄに示されている。シャトルベース３０が、片側支持された位置でフィーダを支持している場合、フィーダサイドフレーム１２は、たとえば図４Ａに示すような最も前方の位置へ、丁合いチェーン１１０に向かってローラによって移動させられる。ねじスロット３６内のねじ１３６は、シャトルベース３０を片側支持された作業位置でロックする。フィーダ１０の重心２４は、フィーダ１０の設計により丁合いチェーン１１０の上に位置している。
【００１５】
図３Ｂは、平衡位置にあるシャトルベース３０を示している。フィーダサイドフレーム１２は、丁合いチェーン１１０から離れるように後退させられている。図４Ｂを参照されたい。この図４Ｂの位置では、ローラ２１６が、長手方向のローラスロット３５から滑り出ているが、ローラ１６およびローラ１１６はそれぞれ長手方向のローラスロット３４，３５内に留まっている。ねじスロット３６内のねじ１３６は、シャトルベース３０を平衡位置でロックしている。長手方向のローラスロット３４は、フロントローラ１６を囲むように設計されているので、フィーダ１０がシャトルベース３０から滑り落ちることはできない。平衡位置では、重心２４はシャトルベース３０の上にある。作業者は、フィーダ１０およびシャトルベース３０を１つのユニットとして、平衡位置から可動ベース６０上に移動させることができる。
【００１６】
図４Ａないし図４Ｄは、フィーダ１０の、シャトルベース３０を介した固定フィーダベース１４から可動ベース６０への移動を示している。図４Ａでは、フィーダ１０は、ばね負荷されたクランプ４０によって固定フィーダベース１４に固定されたシャトルベース３０に取り付けられている。フィーダ１０は、片側支持された作業位置にある。この位置では、重心２４はシャトルベース３０の前方に位置している。脚部１８は、たとえば、フィーダ１０が高速で稼働しているときに、フィーダ１０の振動を減じるために使用されてよい。脚部１８は、フィーダ１０の支持のためには必要なく、簡単に取り外すことができる。
【００１７】
図４Ｂでは、脚部１８が取り外されていて、ロックねじ１３６は、フィーダ１０をシャトルベース３０上の平衡位置に摺動させて戻すために弛められている。この間、シャトルベース３０は、ブラケット２２およびばね負荷されたクランプ４０を介して、固定フィーダベース１４に固く取り付けられたままである。次いでフィーダ１０が平衡位置へローラによって移動されて、重心２４はシャトルベース３０の上に位置する。図３Ｂを参照されたい。その後にロックねじ１３６が緊締されるので、シャトルベース３０およびフィーダ１０は、１つの平衡の取れたユニットとして移動させられてよい。
【００１８】
図４Ｃは、フィーダ１０とシャトルベース３０とが、可動ベース６０に移動されるところを示している。ばね負荷されたクランプ４０は、提供されることができるあらゆる付加的なロック装置と同様に、クランプスロット３８から解離されて滑り出る。したがってフィーダ１０およびシャトルベース３０は、ブラケット２２に沿って、支持面３２上を可動ベース６０へと摺動させられる。可動ベース６０上のばね負荷されたクランプ４０は、クランプスロット３８内に押圧されることによって所定の位置にロックされる。ばね負荷されたクランプ４０上のボルトは、シャトルベース３０およびフィーダ１０を可動ベース６０上のブラケット２２に取り付けるために緊締されてよい。つまりシャトルベース３０およびフィーダ１０は、可動ベース６０に固く取り付けられる。フィーダ１０およびシャトルベース３０が移動する前に整列が適切であることを確実にするために、可動ベース６０および固定フィーダベース１４上にたとえば整列装置が設けられていてよい。
【００１９】
次いで可動ベース６０は、適切に平衡の取られたシャトルベース３０およびフィーダ１０と共に固定フィーダベース１４から離反させられてよい。フィーダ１０は、たとえばラインから外されるか、または丁合いチェーン１１０の他方の側に移動され得る。
【００２０】
フィーダ１０は、上記の手順とは逆の手順によって、固定フィーダベース１４に戻され得る。
【００２１】
上記の説明では、本発明が特定の例示的な実施形態および実施例に関して記載されている。しかし、特許請求の範囲に示されたような発明の精神および範囲から逸脱することなく、実施形態および実施例に種々の変更が加えられることがあるのは明らかである。したがって、明細書および図面は、制限的な意味ではなく例示的な形式で見なされるべきである。
【図１】
2010501442.tif 000003
【図２】
2010501442.tif 000004
【図３Ａ】
2010501442.tif 000005
【図３Ｂ】
2010501442.tif 000006
【図４Ａ】
2010501442.tif 000007
【図４Ｂ】
2010501442.tif 000008
【図４Ｃ】
2010501442.tif 000009
【図４Ｄ】
2010501442.tif 000010
【国際調査報告】
2010501442.tif 000011